(57)【要約】      （修正有） 【課題】固定しやすく、組合わせ簡単、かつ低コストで製造できる端子台構造の提供。【解決手段】本考案の端子台構造は、外部電源コードを貫通できるよう第一電接部10と、それに対応する第二電接部20と、第一電接部10と第二電接部20の間に設置され、第一電接部10と第二電接部20比べ、比較的小さい横切断面積と縦切断面積より形成された環状溝31を有する衝合部からなる。使用者は複数個の端子台を互いに組み合わせることができ、固定ユニット140で環状溝に挟み込めば、端子台の上下左右の組立て位置を制限することができ、良好な定位固定効果を備えている。【選択図】図3
0003102762.tif 000002
【実用新案登録請求の範囲】
【請求項１】
外部電源線を貫通できるよう第一電接部と、それに対応する第二電接部と、第一電接部と第二電接部の間に設置され、第一電接部と第二電接部に比べ、わりと小さい横切断面積と縦切断面積より形成された環状溝を有する衝合部からなる改良された端子台構造。
【請求項２】
前記第一電接部の片側に外部の標示板を嵌め込むための溝を有することを特徴とする請求項１記載の改良された端子台構造。
【請求項３】
前記標示板の外側片面に、使用者が識別しやすいように文字を塗布することができることを特徴とする請求項１記載の改良された端子台構造。
【請求項４】
前記第一電接部と該前記第二電接部の片側にそれぞれ複数個の定位柱と複数個の溝穴を形成することを特徴とする請求項１記載の改良された端子台構造。
【請求項５】
前記第一電接部と前記第二電接部の片面に外部の電源線を貫通できるように、それぞれ第一開口と第二開口を有することを特徴とする請求項１記載の改良された端子台構造。
【請求項６】
前記第一電接部と前記第二電接部の上面にそれぞれ第一へこみ穴と第二へこみ穴を有することを特徴とする請求項１記載の改良された端子台構造。
【請求項７】
端子台クラスターにおいて、
外部の電源線を貫通できるよう第一電接部と、それに対応する第二電接部と、第一電接部と第二電接部の間に設置されており、第一電接部と第二電接部の間に設置され、第一電接部と第二電接部に比べ、比較的小さい横切断面積と縦切断面積より形成された環状溝を有する衝合部と、環状溝にはめ込み、端子台の組立て位置を制限し、固定させる固定ユニットからなる端子台。
【請求項８】
前記第一電接部の片側に外部の標示板を嵌め込むための溝を有することを特徴とする請求項７記載の端子台クラスター。
【請求項９】
前記標示板の外側片面に、使用者が識別しやすいように文字を塗布することができることを特徴とする請求項７記載の端子台クラスター。
【請求項１０】
前記第一電接部と該前記第二電接部の片側にそれぞれ複数個の定位柱と複数個の溝穴を形成することを特徴とする請求項７記載の端子台クラスター。
【請求項１１】
前記第一電接部と前記第二電接部の片面に外部の電源線を貫通できるように、それぞれ第一開口と第二開口を有することを特徴とする請求項７記載の端子台クラスター。
【請求項１２】
前記第一電接部と前記第二電接部の上面にそれぞれ第一へこみ穴と第二へこみ穴を有することを特徴とする請求項７記載の端子台クラスター。
【請求項１３】
前記固定ユニットがほぼ「コ」形状を呈していることを特徴とする請求項７記載の端子台クラスター。
【請求項１４】
前記固定ユニットが金属材質から構成されていることを特徴とする請求項７記載の端子台クラスター。
【考案の詳細な説明】
【技術分野】
【０００１】
本考案は、端子台に関するもので、特に固定しやすく、かつ低コストで製造できる端子台構造に関するものである。
【背景技術】
【０００２】
最近、機械・電力設備産業の発展が目覚しく、よりよい効果を提供するため、各種部材の研究改良は依然として絶え間なく進行されており、その中でも外部電源を連接して、内部の各電子部品に動力源を供給する端子台は、そのいくつかの関連する技術がすでに公開されて社会の大衆の熟知するところとなっている。たとえば、中華民国特許公告番号第４６４１１２号、第４６４０４５号、第４４００７４号らは関連する技術を公表している。
【０００３】
前記第４６４１１２号公報（特許文献１）は「改良された端子台構造」を公表しており、外部の電源線を受信する端子台を設け、さらに弾性ユニットを利用して支え板の作動位置を制御し、外部の電気エネルギー或いは信号などを機械などの設備に伝えるものである。また、第４６４０４５号公報（特許文献２）は台本体、固定ユニット及びふた板からなる「変圧器の端子台構造」を提供しており、該固定ユニットは台本体前部に設置され、ふた板軸は台本体上部を覆うように設置され、台本体内にある縦向きの端子槽は変圧器のコイルを固定させ、台本体内の横向きの端子槽は、送電線を固定させる。このようにすることによって、変圧器のコイルと送電線を解体したり設置したりするのに便利である。第４４００７４号公報（特許文献３）は「弾性端子片の配線を有する改良された端子台構造」を公表しており、その主要となる技術的特徴は、端子台内部に弾性端子片を設置しており、従って外部の電源線を適切な位置に固定させる効果をもたらす。
【０００４】
以上の各種の周知技術は合理的な動作で一定の効果を有するものであるが、しかし端子台の固定は余計な設計を必要とする。たとえば端子台が突伸して孔を形成し、外部のボルトなどの固定ユニットに組み合わされてしっかりと固定される。これらは組立てや解体に不便である。それに端子台が機械・電力設備などの械器の中に組み立てられるとき、端子台を組み立てるスペースに限りがあり、もし臨時に1つの端子台を増設して外部からの電源或いは信号線を設ける必要がある場合、余計な端子台を増設しなければならない。しかし設計された端子台が前述したように、複数個を一つ単位とし、かさがかなり大きいなものを必要とする。一方設備には端子台の置くスペースが限られているので、もし余計に端子台を増設し対処する必要があるならば、新たに設備内の組立てスペースに配置しなければならなくなる可能性が生じ、往々にして急場に間に合わなく使用上非常に困った状態を引き起こすことになる。
【０００５】
以上は市販商品或いは周知の技術において長い間ずっと未解決であった問題であり、対策を講じなければならない。
【特許文献１】中華民国特許公告番号第４６４１１２号公報
【特許文献２】中華民国特許公告番号第４６４０４５号公報
【特許文献３】中華民国特許公告番号第４４００７４号公報
【考案の開示】
【考案が解決しようとする課題】
【０００６】
前記の問題点に鑑み、本考案が解決しようとする課題は、取り付けが便利で、使用状況の稼働状態を目視でき、外部から送り込まれた電源線或いは信号線の数量とマッチさせて複数個の端子台を組立て、また良好な固定効果を有する端子台構造を提供することにある。
【課題を解決するための手段】
【０００７】
前記課題を達成するために、本考案の端子台構造は、第一電接部、第二電接部、衝合部から構成されている。第二電接部は第一電接部に対応しており、類似かつ相対的な形状を有している。衝合部は第一電接部と第二電接部との間に連接して設けられており、第一電接部と第二電接部に比べ、比較的小さい横断面積と縦断面積を有するため、環状溝が形成されている。つまり、隣接する第一電接部と第二電接部との間に衝合部が形成され、しかし切断面から見ると、衝合部の切断面積は第一電接部と第二電接部より小さく、自然に環状溝を構成している。そのため外部の「コ」型（又は「コ」形状）の固定ユニットなどの装置によって環状溝を嵌め込むことにより固定台の上下左右の自由な活動範囲を制限することができ、非常に優れた固定効果を有する。また、端子台が独立使用するほか、使用状況によりさらに複数個の端子台を相互に組み合わせて端子台クラスターを形成することができる。特に隣接する端子台との組み合わせは非常に緊密で、必要とする組立てスペースは大きく減少させることができる。ごく狭い設備スペースには端子台を取り付ける手段がなかった公知技術に対し、本考案は、解体組立てが簡単便利で、実用的でかつ創意工夫をこらしている。
【０００８】
本考案の上述した目的、及びその他の目的、特徴、及び長所などをさらに明確にわかりやすくするため、下記にいくつかの比較的良いと思われる実施例を述べる。また図面もあわせて詳しい説明を行なう。
【考案の効果】
【０００９】
本考案の端子台構造は、使用者の需要に応じ、外部の電源或いは信号に受信するための端子台の数量を増減することができ、かつ分解、組立てが便利であり、さらに現有する設備機械の台の設計を改めることも必要なく、必要とする設置スペースを新たに計画するに及ばない。
【考案を実施するための最良の形態】
【００１０】
図１Aと１B図を参考する。本考案の端子台構造は第一電接部10、第二電接部20、衝合部30から構成され、該第二電接部20は第一電接部10に対応して、類似かつ相対的な形状を有している。衝合部30は第一電接部10と第二電接部20との間に連接して設けられ、第一電接部10と第二電接部20に比べ、比較的小さい横切断面積と縦切断面積を有している。つまり、図１Ｂに示されているように、切断面の角度Ａ−Ａ´から、隣接する第一電接部10と第二電接部20が比較的小さい面積を有する衝合部30を形成し、さらに環状溝31を形成していることが観察される。
【００１１】
図１Aに示されているように、第一電接部10と第二電接部20はおおむね箱体を呈している。その角の縁部に近い部分は斜めに削り取られ傾斜部120を形成し、傾斜部分に文字、数字或いは円形などを選択的に塗りつけることができ、複数個の端子台を相互に組み合わせるとき、使用者は容易にかつすばやくこの端子台の組立規格の類別を見分けることができる。第一電接部10と第二電接部20の片側には共にはめ込み溝40があり、外部の標示板110をかぶせてその溝中に固定することができ、標示板110は傾斜部120と同様に、文字、数字或いは図案などを塗布することができ、使用者に識別させることができる。また、第一電接部10と第二電接部20は、それぞれはめ込み溝40と同じ側面に、外部の電源線或いは信号線を貫通できるよう、それぞれ第一開口50と第二開口51が設けられ、かつ第一電接部10と第二電接部20の上部にはそれぞれ第一へこみ穴（又は貫通孔）60と第二へこみ穴（又は貫通孔）61を有している。第一電接部10と第二電接部20の側面には、それぞれ外向きに突き出て定位柱70と穴80を形成し、これによって複数個の端子台が相互に組み合わさるとき、定位柱70はもう1つの端子台の穴80に入り、隣接する端子台を一緒に組合せ、良好な接合効果を生む。実際の取り付け状態は後で詳しく説明する。
【００１２】
図２は、本考案端子台構造の内部構造図である。端子台は、機械、電力設備の中に取り付られ、外部の電力線或いは信号線と設備内部の電力線或いは信号線などの連接に使用されている。また設備内部の電源線或いは信号線などの連接に役立つ。つまり外部の信号あるいは電力などが端子台から設備へ供給されるものである。図に示すように、端子台の内部は、第一電接部、第二電接部、衝合部によって、中空の内部スペースを形成し、金属導片90、電源線固定台91、電源線固定ボルト92を設けている。電源線固定台91はそれぞれ第一開口50と第二開口51に置かれ、電源線固定ボルト92は垂直移動できるよう電源線固定台91の上部に配置され、且つ第一へこみ穴60と第二へこみ穴61の中に嵌め込まれている。金属導片90の両端がそれぞれ二つの電源線固定台91の間につながって連接するように設置されている。図３は、外部の電源線100が第一開口50から端子台内部に入り、またボルトねじ回し（図中未表示）などの外部工具によって、第一貫通孔60から電源線固定ボルト92を回転させて電源線固定台91にねじ込み深さを調整する。この調整によって外部の電源線100が端子台内部に確実に固定される。当然、設備内部において第二開口51から入った電源線100も同様にねじ回し（図示せず）によって第二へこみ穴61から電源線固定ボルト92と電源線固定台91の間の間隔を調整し、設備内部の電源線をしっかりと端子台内部に固定する。
【００１３】
組立て時、図４にあるように、「コ」型の固定ユニット140で環状溝31にはめ込み、外部ボルト130とマッチさせて固定ユニット140を設備上に固定することにより、端子台の上下左右の活動自由度を制限し、設定位置で効果的に固定する（定位固定効果）ことができる。
【００１４】
また、必要に応じて、複数個の端子台を増設可能で、特に複数個の端子台を一緒に組み合わせられ、またただ1つの「コ」型固定ユニットによって定位効果を達成することができる。図５を参考すると、隣接する端子台は定位柱70と穴80を組み合わせることによって、互いの端子台を確実に衝合することができ、さらに固定ユニット140によって固定され、外部のボルト130を組み合わせて設備上に固定され、定位の効果を達成する。
【００１５】
固定ユニット140を使用して端子台の組み合わせを提供する以外、実際には定位端子台クラスターを用いた方法は多種ある。図６に示すように複数個の端子台を互いに一緒に組み合わせて端子台クラスターを形成する場合、上部カバー体200にはノッチ210を有し、下部カバー体300は突き出す複数個の定位板310を有している。取り付け設置時は、下部カバー体300の定位板310は、端子台クラスターの環状溝31の相対する両側と底部をはさみ、さらに上部カバー体300のノッチ210を環状溝31の上部にはめ込み、端子台クラスターを上カバー体200と下カバー体300を通して挟み込ませ、上下左右の組立て位置を制限させ、端子台クラスターの顕著な定位固定効果を提供する。
【００１６】
以上、述べた点は本考案における最良の実施例にすぎず、本考案の実施範囲を限定していない。つまり本考案の出願範囲によって行なわれる均等化と修飾は、すべて本考案の出願によってカバーされているものとする。
【図面の簡単な説明】
【００１７】
【図１Ａ】本考案端子台構造の最良実施例の立体図である。
【図１Ｂ】本考案端子台構造の最良実施例のＡ−Ａ´線の切断面の略図である。
【図２】本考案端子台構造の最良実施例内部の組立略図である。
【図３】本考案端子台構造の最良使用略図である。
【図４】本考案端子台構造の最良実施例組立略図である。
【図５】本考案端子台構造の別最良の組立略図である。
【図６】本考案端子台構造の他最良の組立略図である。
【符号の説明】
【００１８】
１０  第一電接部
２０  第二電接部
３０  衝合部
３１  環状溝
４０  はめこみ溝
５０  第一開口
５１  第二開口
６０  第一へこみ穴
６１  第二へこみ穴
７０  定位柱
８０  穴
９０  金属導片
９１  電源線固定台
９２  電源線固定ボルト
１００  電源線
１１０  標示板
１２０  傾斜部
１３０  ボルト
１４０  固定ユニット
２００  上部カバー体
２１０  ノッチ
３００  下部カバー体
３１０  定位板
【図１Ａ】
0003102762.tif 000003
【図１Ｂ】
0003102762.tif 000004
【図２】
0003102762.tif 000005
【図３】
0003102762.tif 000006
【図４】
0003102762.tif 000007
【図５】
0003102762.tif 000008
【図６】
0003102762.tif 000009